(57)【特許請求の範囲】
【請求項１】
ベースフレームとカバーフレームとでスライドフィルムを挟持する構造のステレオスライドマウントであって、
前記ベースフレームの左右の窓の周囲に凹状のフィルム設置部を設け、該フィルム設置部に生ずる段差によってスライドフィルムの上辺と下辺を位置決めし、該スライドフィルムは左用の画面を左側に、右用の画面を右側に配置し、且つ左右一対のステレオ写真を並置してプリントした一枚のシート状であって、該スライドフィルムの左右の画面と画面との中央部に設けたノッチ又は孔を、前記ベースフレームの左右の窓と窓との中央部に立設したピンに掛止させ、カバーフレームの孔を嵌合わせベースフレームとカバーフレームを固着せしめカバーフレームの左右の窓の周囲一帯の凸部を前記ベースフレームのフィルム設置部の凹部に陥入させてベースフレームとカバーフレームとで左右の画面を並置記録した一枚のフィルムを保持するように構成したステレオスライドマウント。
【請求項２】
左右両端を円の一部の円弧形または該円弧形よりも曲率の小さい曲線状に形成した上記請求項１に記載のステレオスライドマウント。
【発明の詳細な説明】
【技術分野】
【０００１】
本発明は、ステレオスライドマウントに関するものであり、特に電子的立体映像データによって一枚のシートまたはフィルム上に左右用の画像を並置記録するステレオスライドマウントに関するものである。
【背景技術】
【０００２】
最近、ディジタル技術の発展により、映像分野においても撮影〜表示の全段階において、ディジタル化が進展している。そして、ステレオ写真（一枚のシート上に左右一対の透明陽画、又は不透明画像を並置）においても、電子的映像データによってステレオ写真をプリントすることが提案されている(例えば、特許文献１の特開２００２−１２５２４５号公報)。
【０００３】
また、上記特許文献１と同様に、撮影された立体映像データを一旦パーソナルコンピュータの画面上に左右一対の二画面を並置して表示し、トリミング調整した後、所定の二画面並置のプリントを行うものが提案されている（例えば、特許文献２の特開２００４−１２９１８６号公報）。
【０００４】
上記特許文献１及び２に記載されている方法は撮影後の立体映像データをポストプロセス（編集段階）で調整加工してプリントするものであるが、最近では、ステレオカメラで撮像した画像データをパーソナルコンピュータのディスプレイに表示したり、プリントアウトするだけで、誰しもが容易に立体視を楽しむことができる技術が提案されている｛例えば、特許文献３（特開２００６−１２１２２９号公報）の段落〔００１３〕〔００４１〕｝。
【０００５】
なお、ステレオ写真は透明スライドの場合は、ステレオスライドマウントによって左右用のフィルムをマウントして保持して使用する｛例えば、特許文献４の米国特許第４，９４２，６８４号明細書（’９０，７月特許）｝が、印画紙等にプリントしたものも、多くの場合ある程度の厚みのある台紙等に貼付するか、透明スライドと同様にホルダー等で挟持して使用する場合が多い。
【０００６】
また、一般的なステレオスライドは、左右のフィルムを別々に取り付けるように構成されているが、左右の画像を並置記録した一体のフィルムをマウントしたステレオスライドも提案されている（例えば、特許文献５の特表昭６０−５０１０７９号公報）。
【発明の概要】
【発明が解決しようとする課題】
【０００７】
特許文献１の段落〔００１５〕〔課題を解決する手段〕の記述によれば特許文献１の“立体画像”は左右用の画面を左右反対の位置に配置するもの(交差視法)であり、大画面のプリントを観ることができるものの、誰にも容易に立体視できるようにするには特別な方法によらなければならない（例えば、特許文献１の図１３による方法）。この方法は立体プリント及びメガネの双方に偏光板を使用するため視野が非常に暗くなるのみならず、図示の如くメガネにプリズムを使用すれば透過光の波長による屈折率の差異によって像の輪郭に色滲みを生ずる等の問題がある。
【０００８】
更に、特許文献１の図１３にも図示されているように、交差視法による立体視は、大きい画面を立体視できるものの、その大きな画面を観ているにも拘らず立体視において破線で図示されているように非常に小さく見えてしまう欠点がある。
【０００９】
特許文献２には電子立体画像データから二画面並置方式の立体プリントをするための編集方法が記載されている。しかし、この方法も、パーソナルコンピュータ（ＰＣ）の画面上に左右一対の小さな画面を表示して裸眼立体視の下に調整するために、プリント時の編集作業は極めて困難である。また、特許文献２には、赤青表示のアナグリフ方式による立体モニタも記載されているが、アナグリフ表示の立体画像（左右用の画面が同一位置に重ねて表示されている）をプレビューしつつ左右並置表示方式の立体画像のトリミング範囲を決定することは実用化に無理が生ずる。何故ならば、立体画像のトリミングは、単に絵画的構図の決定ではなく、遠近感調整の手段として行われているからであり、アナグリフのように左右用の画像を同一位置に重ねて表示する場合と、左右用の画像を並置表示する場合とでは立体感及び見掛け上の画面の大きさが異なるからである。しかし、特許文献２において、この問題は考察されていない。
【００１０】
特許文献３にはステレオカメラによる画像データをプリントアウトして立体視する内容が記載されている。そして、記述内容によれば、左右の画像の調整方法はオーバーラップエリアを予め記憶したパラメータによって調整するもので、このオーバーラップエリアは基線長やズーム倍率によって一義的に決定しているようである。
【００１１】
しかし、実際には特許文献３に記載されているオーバーラップエリアを基線長やズーム倍率によって一義的に決定した場合（即ち、トリミング調整してオーバーラップエリア部分のみをプリントした立体画像であっても）有効に機能しないことが予想される。何故ならば、特許文献３の図５及び６には至近距離像と無限遠像とが同時に映っているが、このような場合において、非重複部分の映像を遮蔽（カット）しても、観察者の視線は至近距離の像に向いて合致され、オーバーラップエリアの画像の対を立体視していても場合によっては左右の画像フレームがずれて見えるからである。
【００１２】
更に、上記特許文献３の段落〔００４３〕には「…基線長は、被写体までの距離の１０％程度であることが好ましく…」と記述されている。この場合、人の瞳間隔を６５ｍｍとして逆算す
れば、被写体距離は、６５／０，１＝６５０ｍｍで、通常、人が無限遠と近景とを同時に観る
ことができる近点の限界値２メートルから大きく外れることになり、オーバーラップエリアのみを選択してもオーバーラップエリア内の遠景像と近景像とを融合視することが不可能になることは必至である。
【００１３】
また、従来の銀塩フィルムを使用する場合、フィルムという“実体”を有する。よって、現像その他の処理を依頼された業者は現物に依頼者のＩＤを記入したラベルを貼付すればよいが、電子データによる影像には“実体”が無いため、多くの映像をフィルム上にプリント・現像後、個々の写真が誰に依頼されたかの見分けが困難になるという問題が生ずる。
【００１４】
特許文献４に記載されているステレオスライドマウントは、マウントに滑合された調節用ピンでフィルムのパーフォレーションを係止するもので、フィルムのパーフォレーションを利用するマウントとして実用(市販)化されている唯一のものである。しかし、最適な調節位置を見つけ出すのが難しいという問題が解消されていない。
【００１５】
特許文献５に記載されているステレオスライドは、左右の画像を並置記録した左右一体のフィルムをマウント上に設けられたピンによって係止している。しかし、特許文献５のステレオスライドは、左右用の画面が左右反対位置に配置されているために一般的なステレオスライドビューワ等で観賞できないという問題が生ずる。
【００１６】
そこで、ステレオカメラによって撮影した立体映像データをプリンタに直接入力することよって立体写真をプリントすること及び立体ＴＶ及び立体ＰＣ上に表示する立体映像と同一の立体感の立体プリント／スライドを無調性で再現可能にするために解決すべき技術的課題が生じてくるのであり、本発明は、この課題を解決することを目的とする。
【課題を解決するための手段】
【００１７】
本発明は上記目的を達成するために提案されたものであり、請求項１記載の発明は、ベースフレームとカバーフレームとでスライドフィルムを挟持する構造のステレオスライドマウントであって、
前記ベースフレームの左右の窓の周囲に凹状のフィルム設置部を設け、該フィルム設置部に生ずる段差によってスライドフィルムの上辺と下辺を位置決めし、該スライドフィルムは左用の画面を左側に、右用の画面を右側に配置し、且つ左右一対のステレオ写真を並置してプリントした一枚のシート状であって、該スライドフィルムの左右の画面と画面との中央部に設けたノッチ又は孔を、前記ベースフレームの左右の窓と窓との中央部に立設したピンに掛止させ、カバーフレームの孔を嵌合わせベースフレームとカバーフレームを固着せしめカバーフレームの左右の窓の周囲一帯の凸部を前記ベースフレームのフィルム設置部の凹部に陥入させてベースフレームとカバーフレームとで左右の画面を並置記録した一枚のフィルムを保持するように構成したステレオスライドマウントを提供する。
【００１８】
この構成によれば、マウント時の調整作業が不要となり、誰にでもマウント作業を行うことができる。
【００１９】
請求項２記載の発明は、左右両端を円の一部の円弧形または該円弧形よりも曲率の小さい曲線状に形成した上記請求項１に記載のステレオスライドマウントを提供する。
【００２０】
この構成によれば、ステレオスライド又はステレオフォトプリントを観賞用ビューワのスロットへ挿入することが容易になる。ま、ステレオスライドのコーナー部の損傷を防止することができる。
【発明の効果】
【００２１】
請求項１記載の発明は、ベースフレームの左右の窓の周囲に凹状のフィルム設置部を設け、該フィルム設置部に生ずる段差によってスライドフィルムの上辺と下辺を位置決めし、該スライドフィルムは左用の画面を左側に、右用の画面を右側に配置し、且つ左右一対のステレオ写真を並置してプリントした一枚のシート状であって、該スライドフィルムの左右の画面と画面との中央部に設けたノッチ又は孔を、前記ベースフレームの左右の窓と窓との中央部に立設したピンに掛止させ、カバーフレームの孔を嵌合わせベースフレームとカバーフレームを固着せしめカバーフレームの左右の窓の周囲一帯の凸部を前記ベースフレームのフィルム設置部の凹部に陥入させてベースフレームとカバーフレームとで左右の画面を並置記録した一枚のフィルムを保持するので、左右の画像を並置してプリントした一体のフィルムをマウント台にマウントするステレオスライドであるところ、マウントの作業が何人にも容易にできるという効果を奏することを期待できる。
【００２２】
請求項２記載の発明は、左右両端を円の一部の円弧形または該円弧形よりも曲率の小さい曲線状に形成した上記請求項１に記載のステレオスライドマウントであるので、ステレオスライド／ステレオフォトプリント又はスライドホルダの両端部を円弧状にすることであり、これによってステレオスライド／ステレオフォトプリント又はスライドホルダを観賞機器（ステレオビューワ）のスロットに挿入することが容易になり、且つ、ステレオスライド／ステレオフォトプリント又はスライドホルダを傾けて挿入した場合でもロックすることを防止できる効果がある。
【図面の簡単な説明】
【００２３】
図は本願発明の実施例に係るステレオスライド/フォトプリント及びステレオフォトプリンタの構成を示すものである。
【図１】本発明、実施例に関連する技術的事項に係る立体視の概念図。
【図２】図１の参照ディメンション表示画面(図示の大型立体ＴＶ)と標準立体映像データを送出するステレオカメラとの関係図であり、（ａ）は参照ディメンション表示画面を示す図、（ｂ）はステレオカメラを示す図。
【図３】図１の詳細説明図。
【図４】(ａ)は、ステレオスライド作製装置の一実施例、(ｂ)は、ステレオスライドフィルムの一実施例。
【図５】ステレオスライドの一実施例、(ａ)は、ベースフレームを表す、(ｂ)は、ベースフレームにステレオスライドを取り付けた状態を示す、(ｃ)は、カバーフレームを表す。
【図６】(ａ)はパーフォレーテドラインを入れたステレオフォトプリント用紙を表す、(ｂ)は、ステレオプリントとスライドホルダとの関係を示す。
【発明を実施するための形態】
【００２４】
以下、本願発明の実施の形態につき、詳細に説明することとする。ところで、ここで記述する事項は、本願の特許請求の範囲請求項記載に係る発明のみならず、斯かる請求項記載に係る発明と関連する技術的事項を含む内容に関しても言及するものである。
【実施例１】
【００２５】
以下、本発明に関連する技術の実施例を説明するにあたり、本発明の基礎的技術を交えて説明する。本発明の基礎的技術の特徴は、ステレオカメラの撮像素子の大きさ、及び立体映像表示装置の表示範囲および画面サイズが異なる場合であっても立体映像データを共用可能にしたことである。あらゆる立体映像の距離感及び寸法を共通に認識するためには撮影時に参照窓（左右の撮影レンズによる撮影視野が合致する仮想視野フレーム）を設定することであり、この参照窓を視野フレーム(左右の画像フレーム)として撮影し、表示に必要な標準立体映像データとして送出する。そして、表示側において標準立体映像データを撮影側の参照窓と等価の参照ディメンションの画面に表示することによって忠実な立体感を再現することができる。
【００２６】
例えば、図２の（a）（ｂ）において参照窓Ｗref  の幅をＷW、撮像素子Ｓ上に投影される参照窓内の像Ｉrefの幅をＷS 、参照ディメンションの表示画面Ｅrefの幅をＷDと
すれば、投影倍率rは、ｒ＝ＷS/ＷW 、表示倍率Ｒは、Ｒ＝ＷD/ＷS  として、r×Ｒ＝１
とすることである。上記数式によれば撮像素子Ｓの幅ＷSの大きさに拘らずステレオカメラの送出画像データを標準立体映像データ化することは容易であると理解されるものである。
【００２７】
図１は、立体視の概念図である。図示の大型立体ＴＶ(ディスプレイ幅１８００ｍｍ)を参照ディメンション表示画面のテレビとすれば、各々のサイズの表示画面と、その配置は図示の関係になる。
【００２８】
図３は、図１の寸法及び配置関係をより詳細に表したものであるが、図３は実際の寸法比率に対し、観察者の位置に近付くに従って大きくなる寸法比率で表している。これは、作図上の混乱を回避するものである。
【００２９】
図３に於いて観察者の眼から、図示の左右並置表示範囲とオーバーラップ表示範囲との境界位置までの距離ＬXは
【００３０】
【数１】
0005352018.tif 000002
ＬＸ＝Ｌ０／（１＋ＷＰ０／Ｂ）
の関係となり、Ｌ0＝２５００ｍｍ、ＷP0＝１８００ｍｍとすれば、瞳間隔が Ｂ＝５８ｍｍのとき
、ＬX＝２５００／(１＋１８００/５８)＝７８，０４mmとなり、瞳間隔がＢ＝７２mmのときは、
ＬX＝２５００／(１＋１８００/７２)＝９６，１５mmとなる。
【００３１】
左右並置表示範囲では左右の視野を仕切るための隔壁が必要で、実際の観賞距離は７５mm位がほぼ限度である。また、７５mmは明視の距離に比べて非常に近くなるために視度調節用のルーペが必要で、ルーペは視距離よりも僅かに大きい焦点距離のものが程よいため、この場合は使用するルーペの焦点距離は約８０ｍｍが適当である。また、瞳間隔（ステレオべース）Ｂは、
観察者個々において多少の差があるが観賞距離が大きい場合には(オーバーラップ表示範囲)無限遠像の相応点の左右の間隔と瞳間隔Ｂとの多少の差は無視してもよい。そして、左右並置表示範囲において、瞳間隔Ｂとの差の余裕は少ないが視度調節レンズの間隔を調節することによってその差は緩和される。
【００３２】
左右の画面間隔、即ちピクチャーディスタンスは、図３に図示の左右の瞳間隔Ｂと参照ディメンションのディスプレイＤ0までの距離L0とで次の関係となる。  任意の距離ＬNに配置されたディスプレイＤNのピクチャーディスタンスＤPNは、
【００３３】
【数２】
0005352018.tif 000003
ＤＰＮ＝Ｂ（１−ＬＮ／Ｌ０）
の値となる。
【００３４】
左右夫々の画面幅は観賞者の眼からの距離に比例するが左右夫々の眼に入る光線がディスプレイＤ0を挟む図示の視角αが同一のため、図３に図示の各の見かけ上の画面幅は、
ＷP0＝ＷP1＝ＷP2の関係になり同じ大きさに見える。
【００３５】
上述のように参照ディメンション表示画面のＴＶ（図１に図示の大型ＴＶ）に標準立体映像データを図１に図示の関係配置に表示することによって、左右用の画像を重ねて表示するオーバーラップ表示範囲から左右単独の表示画面を有する左右並置表示範囲までの全ての表示範囲において共通のデータを使用することができる。この場合、図示の各々のディスプレイには標準立体映像データを左右夫々規定された条件に配置(位置及び幅)表示するのみでよい。
【００３６】
図２の（ａ）、（ｂ）は、図１に図示の関係配置の立体画像データを取得する手段のステレオカメラの解説図である。図２（ａ）は、図１の立体視の状態と全く同一の状態図で、図２(ｂ)を、ステレオカメラとする場合の関係図である。  今、図２（ａ）に図示の相等参照窓のディスプレイＥrefから観察者の左右夫々の眼ＥL及びＥRまでと、図２（ｂ）の幅ＷWの参照窓Ｗrefから左右  夫々の撮影レンズＬL，ＬＲまでは共役関係が成立する。よって、左右夫々の視角α内に配置される撮像素子上の画像データは、人が実際に図１の参照ディメンション表示画面のテレビ（図示の大型立体ＴＶ）を観察する場合と等しくなる。また、視角α内に配置される撮像素子のサイズ(幅)は撮像素子を配置する光軸方向の位置で決定される。
【００３７】
図２(ｂ)において撮像素子の幅ＷSは、
【００３８】
【数３】
0005352018.tif 000004
ＷＳ＝ＷＷ×（ｆ＋Δｆ）／ＬＷ
で計算される。また、左右の撮像素子の間隔（倒立画像のピクチャーディスタンス）、即ち図示のＤSは、左右の撮影レンズの光軸間距離（レンズディスタンス）をＤLとすれば、
【００３９】
【数４】
0005352018.tif 000005
ＤＳ＝ＤＬ（１＋（ｆ＋Δｆ）／ＬＷ）
で計算され、ＤS＞ＤLの状態になる。立体映像は、遠景〜近景までの全体がはっきり見えるように焦点を調整すべきである。それには、撮影レンズのアパチャー（絞り）の口径を小さく設定してパンフォーカス状態で撮影すべきである。パンフォーカス状態で撮影する場合、上記ｆ＋Δｆは、ｆ＋Δｆ≒としても差し支えない。
【００４０】
撮像素子上に投影される像は倒立状態であり、正立させるために左右夫々の位置で１８０°回転すれば左右の画面間隔、即ちピクチャーディスタンス（表示側＝正立像状態）は人の瞳幅Ｂよりも小さくなる。また、図２（ｂ）に図示の参照窓Ｗrefと、左右夫々の撮影レンズの主点を通り、参照窓Ｗrefの幅ＷWを挟む線で構成される二つの三角形(一部が重なり合う二つの三角形)と、左右夫々の撮影レンズの主点を通り左右夫々の撮像素子Ｓの両端を挟む線と撮像素子自身の面で構成される夫々二つの三角形とは、左右夫々の撮影レンズの主点を点対称として相似形になっている。また、左右のユニットは図示の中心線Ｏを対称線として左右対称であるため図の紙面の中心線Ｏを折り畳線として折りたためば左右の光軸Φ(Ｌ)とΦ(Ｒ)とが一致して左右同士が重なり合う。従って、図２(ｂ)のステレオカメラによって撮影した立体映像を図１の参照ディメンション表示画面のＴＶ(図示の大型立体ＴＶ)の同一画面位置に時分割で交互に、又は偏光等で同時に重ねて映し、視野分離用メガネによって左右の眼夫々で左右用夫々の画面を見れば無限遠像の相応点は自ずと人の瞳間隔に表示される。
【００４１】
よって、最適状態の立体映像を再現できる。なお、参照ディメンションの表示画面の同一位置に映すためには特別な手立ては必要とせず、図２(ｂ)に図示の撮像素子Ｓ上の像を図２(ａ)のディスプレイ上において表示倍率を、ディスプレイＤ0の画面幅ＷDと撮像素子の幅ＷSとの単純比のＷD/ＷSの倍率で表示すればよい。
【００４２】
また、図１に図示の各々のサイズの左右夫々の画面幅は各々の表示装置の配置距離と参照ディメンション表示画面のＴＶまでの距離との比で決定される。図３において任意の設置（観賞）距離ＬNに対する画面幅ＷPNは、
【００４３】
【数５】
0005352018.tif 000006
ＬＮ／Ｌ０＝ＷＰＮ／ＷＰ０
の単純化であるので、算出は容易である。
【００４４】
そして、図１及び図２に図示のとおり、立体映像は全ての範囲において無限遠の相応点を人の瞳間隔で表示するべきであるから、無限遠像＝瞳間隔＝左右の撮影レンズの光軸間距離、であり、ステレオカメラの左右の撮影レンズに入射する無限遠の相応点からの光線は互いに平行であるため撮像素子上に投影される無限遠の相応点は光軸間距離に等しくなる。従って、如何なるディスプレイサイズであっても、左右の表示画面において無限遠の相応点の間隔＝人の瞳間隔に設定するには、左右夫々の撮像素子上における左右夫々の撮影レンズの光軸中心対応位置を表示画面上で左右の間隔が人の瞳間隔と等しくなる位置に設定するのみでよい。つまり、如何なる画面サイズの立体表示装置であっても、ステレオカメラの左右夫々の光軸を基準にして、再生画面の左右間において撮像ユニットの左右の光軸間隔相応間隔を人の瞳間隔に等しい寸法に表示することである。
【００４５】
以上の説明は本願発明の基礎的構成であり、人が眼前の実景を観る場合と同等の臨場感を得ることができる。
【００４６】
ステレオスライド/フォトプリントを作製する場合は、図１に図示の「左右並置表示範囲」の任意のサイズにプリントすればよく、左右夫々の画面幅ＷP2は、図１及び図３によれば、
前記〔数式５〕のＬN/Ｌ0＝ＷPN/ＷP0 →Ｌ2/Ｌ0＝ＷP2/ＷP0
の単純比で計算できる。
【００４７】
また、左右の画面間隔ＤP2は、
前記〔数式２〕のＤPN＝Ｂ(１−ＬN/Ｌ0) →  ＤP2＝Ｂ(１−Ｌ2/Ｌ0)
で計算できる。即ち、前記［数式２］において、ＤＰＮ＝ＤＰ２、かつ、
ＬＮ＝Ｌ２であるから、前記［数式２］で、ＤＰＮにＤＰ２を代入し、かつ、ＬＮにＬ２を代入することで、前記左右の画面間隔はＤＰ２は、
ＤＰ２＝Ｂ（１−Ｌ２／Ｌ０）の数式で決定される。尚、左右の両面間隔
ＤＰＮは、任意の変数である距離ＬＮの値に応じて決まる変数であるため、図３では図示していない。
【実施例２】
【００４８】
図４（ａ）は、ステレオスライドプリンタ（ハロゲン化銀方式）の一実施例であり、図４（ｂ）はプリントされたステレオスライドで一実施例である。前記〔実施例１〕で説明したとおり、ステレオスライドを作製するためには、図３のディスプレイＤ0に重ねて表示するべく標準立体映像データを図示の幅ＷP2に縮小したＤ2（Ｌ）及びＤ2(Ｒ)を前記ＤP2の間隔に表示すればよく、図４(ａ)において図示のディスプレイ４１に標準立体映像データによる左右用の映像を左右順次に表示し、その映像を投影レンズ４２によってフィルム４３上に投影し、左の画像４７及び右の画像４８を並置記録する。その記録する左の画像４７と右の画像４８との間隔を前記ＤP2の間隔に設定すればよく、該設定間隔は、巻き取りドラム４６による巻き取りようを計測（ローラー等で挟む方法等があるが図示省略）すればよいが、正確を期するには、ガイドウェイ４４上を摺動するスライダ４５を所定量移動して順次露光した方がよい。そして、左右一対の画像を露光後巻き取りドラム４６によって次の一対を露光すれば、巻き取り精度は然程高精度を要求されない。
【００４９】
ディスプレイ４１上の表示像は投影レンズ４２によって１８０°反転されてフィルム４３上に投影されるためディスプレイ４１上では倒立像状態に表示しなければならない。また、ディスプレイ４１の素子は、ＤＭＤまたはＬＣＯＳ等の開口率が高い素子が望ましいが、ＴＦＴ液晶等も利用できる。ＴＦＴ液晶を用いる場合は、できるだけ画面サイズの大きいものを採用し、縮小投影して使用すべきである。これは、画素数を増やして分解能を高めるためであるが、何れの表示素子を用いる場合も、Ｒ,Ｇ,Ｂの三原色を時分割露光すれば分解能は著しく向上する（静止画であるので３原色の書き換え速度は遅くても問題はない）。なお、フィルム４３がポジフィルムである場合は、Ｒ,Ｇ,Ｂの３原色で露光するが、ネガフィルムを使用する場合はＣ,Ｍ,Ｙ,の補色で露光すればよいのは当然であるが
、  Ｃ＝Ｇ＋Ｂ    Ｍ＝Ｂ＋Ｒ    Ｙ＝Ｒ＋Ｇ  となるので表示素子は結局、Ｒ,Ｇ,Ｂの原色のものでも利用できる。
【００５０】
なお、ディスプレイ４１の大きさはできるだけ大きいものがよいが、上述のＤＭＤおよびＬＣＯＳ等の表示素子は元来拡大投影用の表示素子であるのでステレオスライドにおいては略等倍であり、比較的小さな表示素子を採用して、大きなステレオスライドを作る場合であっても拡大比は３倍くらいで済む。
【００５１】
図４（ｂ）は、現像後、一対のステレオスライド毎に切断した状態のフィルム４３で、フィルム４３の中央部にはマウントに対する位置決め指標線４１０を同時にプリントしておくとよい。また、プリント時に位置決め用ノッチ４１１を刻んでもよく、この、ノッチ４１１は、一枚毎のシートフィルムを用いる場合には、フィルム製造時に先立って刻んでおくべきである。
【００５２】
ロールフィイルムを使用するであっても、またはシートフィルムを使用する場合であっても電子式データを受け付けて銀塩フィルムに転写する場合において、フィルム等の実体が伴わずデータのみなので、映像データのみを記録したものでは現像後の持ち主及び郵送（返送）先などが不明になる。そのような事情故に立体映像データと同時に付随データとしてＩＤ  符号を送って、図４のフィルム４３上の画像４７と４８の中間部４９に一次元又は二次元コード（既知の）によってＩＤ符号を記録することである。該ＩＤは予め登録したものでもよく、または、ＰＣから通信回線経由で付随情報として送られたものでもよい。現像後、このＩＤ符号をコードリーダで読み取ることによって、仕上がったスライドの仕分け作業や発送（返送）作業を省力化および自働化(例えば、２次元コードを読み取ることによって返送用封筒に宛名等を自動プリントできる)できる。
【００５３】
図５は、図４(ｂ)のフィルムを保持するためのマウントで、例えば樹脂成型品である。図５(ａ)はベースフレーム５０で、左の窓５２及び右の窓５３の二つの開口部を有している。更に二つの窓の周囲にフィルム設置部５１が凹状に形成されていて、その外側には連結用ピン５４が立設されている。また、ベースフレームの左右の窓の中央部にはフィルム位置合わせマーク５５及びフィルム位置決め用突起５６が形成されている。
【００５４】
図５(ｂ)は、ベースフレーム５０のフィルム設置部５１に、図４(ｂ)に表示のフィルム４３を取り付けた状態であり、フィルム４３のノッチ４１１がベースフレーム５０の左右の窓と窓との中央部に突設された位置決め用突起５６によって係止されている。
【００５５】
図５(Ｃ)は、カバーフレーム５００で、左の窓５０２及び右の窓５０３の二つの開口部を有していて、該左右の窓５０２、５０３の周囲に凸部５０１が形成されていて該凸部５０１が前記ベースフレーム５０の凹部５１に陥入して前記フィルム４３を挟持する。なお、カバーフレームの周辺部には孔５０４が穿設されていて、該穴５０４を前記ベースフレーム５０のピン５４に嵌入すれば、ベースフレーム５０とカバーフレーム５００が固定され表裏一体となりスライドフィルム４３が保持される。
【００５６】
図６(ａ)は、例えば昇華型感熱プリンタの用紙６０である。昇華型感熱プリンタは一色毎に色素を転写するために各色毎の回数繰り返してプリントするためにローラー等の紙送り機構では精度が悪く色ずれを起こす。そのため、プリント用紙の両端部を押さえ用紙を載せたキャリッジを移動してプリントを行う必要がある。図示のタブ６２は、プリント用紙６０を掴む部分で印刷後は不要な部分であり切り離す必要があるが、プリント用紙６０の両端部に図示のパーフォレーテドライン（通称ミシン目）６１を入れておくことによってパーフォレーテドラインに沿って切り裂けばステレオフォトプリントの両端が円の一部の円弧形に形成される。
【００５７】
なお、プリンタ自体の構造は従来の感熱プリンタそのものが利用できる。例えば、図６(ａ)においてプリントは図示の矢印Ａ方向に主走査(サーマルヘッドの走査)を行い、矢印Ｂ方向に副走査(用紙を送る）を行って、左右何れかの片方をプリントした後、画面間隔の分だけ送り他の片方をプリントすればよい。
【００５８】
図６(ｂ)は、ステレオスライド／プリント６０とスライドホルダ６３の関係で図示のように傾けて挿入した場合であっても円滑に作動する。これは、スライドホルダとスライドとの寸法関係が同一で隙間が０の状態であってもロックしたりすることはない。また、ステレオスライドのような矩形の板状の物体はコーナー部が損傷することは日常的に観察されるが両端を円弧形にすることによって損傷を防止できる。
【００５９】
なお、本発明は、本発明の精神を逸脱しない限り種々の改変をなすことができ、そして、本発明が、該改編されたものにも及ぶことは当然である。
【産業上の利用可能性】
【００６０】
立体映像データを通信回線によって送信し、ステレオスライドを容易に現像所に送信して現像できると共に、スライドフィルムを、ベースフレームのフィルム設置凹部に陥入させて、ベースフレームとカバーフレームとで左右の画面を並置記録した一枚のフィルムを保持するところ、左右画像を並置してプリントした一体のフィルムをマウント台にマウントすることを通じて、マウントの作業が容易にでき自家用プリントもできるという利便性を期待することができる。
【符号の説明】
【００６１】
Ｗref   参照窓
ＷW参照窓の幅
Ｏ∞ 無限遠物体
ＤLステレオカメラの光軸間距離
φ ステレオカメラの光軸
Ｉref参照窓の像
α 視角
Ｓ 撮像素子
ＬW参照窓の距離
ｆ 撮影レンズの焦点距離Δｆ 焦点調節量
Ｂ 瞳間隔
Ｅref相等参照窓（表示側において参照窓と等価）
Ｌ0参照ディメンション表示画面の距離
ＷS撮像素子の幅
ＤS撮像素子の間隔 
ＷDディスプレイの幅
ＥL   左眼
ＥR     右眼
Ｄ0参照ディメンションのディスプレイ
Ｄ1   オーバーラップ表示範囲のディスプレイ（ディスプレイＤ0よりも小さい
）
Ｄ2     フィルム上の画面
ＷPO   参照ディメンションディスプレイの幅
ＷP1    フィルム上の画面幅
ＷP2   ディスプレイＤ2の幅
ＤP1  ディスプレイＤ1の間隔
ＤＰ２  ステレオスライドの左右の画面間隔
Ｌ0  参照ディメンションディスプレイの視距離
Ｌ1  ディスプレイＤ1の視距離
Ｌ2  ディスプレイＤ2の視距離
ＬX  並置範囲とオーバーラップ表示範囲の境界位置
４０ ステレオスライド作製装置（プリンタ）
４１ 表示装置
４２ 投影レンズ
４３ 銀塩フィルム
４４ ガイドウェイ
４５ スライダ
４６ 巻き取り軸
４７ 左の画面（画像）
４８ 右の画面（画像）
４９ 左右の画面の中央部でＩＤを記録する部位
４１０ フィイルム上にマウントとの位置合わせの指標をプリントした例
４１１ マウントに対する位置決め用ノッチ
５０ ステレオスライドマウント（ベースフレーム）
５１ フィルム設置部（凹部）
５２ マウントの窓（左）
５３ マウントの窓（右）
５４ 連結用ピン
５５ フィルムを位置合わせするための指標
５６ フィルムを位置決めするための突起
５００ カバーフレーム
５０１ フィルムを押さえる凸部
５０２ カバーフレームの窓（左）
５０３ カバーフレームの窓（右）
５０４ 連結用孔
６０ ステレオフォトプリント
６１ パーフォレーテドライン（ミシン目）
６２ タブ
６３ スライド（プリント）ホルダー
【先行技術文献】
【特許文献】
【００６２】
【特許文献１】特開２００２−１２５２４５号公報
【特許文献２】特開２００４−１２９１８６号公報
【特許文献３】特開２００６−１２１２２９号公報
【特許文献４】米国特許第４，９４２，６８４号明細書（’９０，７月特許）
【特許文献５】特表昭６０−５０１０７９号公報
【図１】
0005352018.tif 000007
【図２】
0005352018.tif 000008
【図３】
0005352018.tif 000009
【図４】
0005352018.tif 000010
【図５】
0005352018.tif 000011
【図６】
0005352018.tif 000012